(57)【要約】【課題】カメラに対して着脱自在であり、安定装着され、装着後の可動により収納性をも有するカメラ用グリップアダプタを提供することを目的とする。【解決手段】第二アダプタ部１４の突起１４ａをカメラ２の位置決め穴７に差し込み、カメラ２のネジ穴１０に第一アダプタ部１３のネジ１８を合わせ、第一アダプタ部１３から露呈しているネジ１８の頭部の回動操作により螺合させることにより、カメラ２にグリップアダプタ１２が装着される。このとき、グリップ部１７を回動によりカメラ２の下方に大きく突出させる位置（突出位置）にすることができ、また、カメラ２の右側面を大きくはみ出さないように覆う位置（収納位置）にすることもできる。【選択図】　　　　図２
2004101681.tif 000002
【特許請求の範囲】
【請求項１】
三脚取付け用のネジ穴が形成された底面と、撮影時に把持される側面とを有するカメラに使用され、前記ネジ穴に螺合するネジが保持され、前記側面に形成された位置決め穴に差し込まれる突起が設けられたアダプタ本体と、前記突起の近傍にて前記アダプタ本体と連結したグリップ部とで構成され、前記側面を大きくはみ出すことなく覆う収納位置と、把持される部分が大きくはみ出した突出位置とに前記グリップ部を移動可能とする連結手段を備えたことを特徴とするカメラ用グリップアダプタ。
【請求項２】
収納位置にある前記グリップ部が、前記側面の位置決め穴の上方に設けられたレリーズボタンを覆うことを特徴とする請求項１記載のカメラ用グリップアダプタ。
【発明の詳細な説明】
【０００１】
【発明の属する技術分野】
本発明は、把持性を向上させるためにカメラ本体に外付け装着されるカメラ用グリップアダプタに関するものである。
【０００２】
【従来の技術】
カメラに限らず携帯型機器の小型、軽量化が主流となるなかで、従来のカメラは、カメラボディ面の一部をユーザーの手にフィットするように隆起させグリップ部としたり、グリップ部に複数個の凹部を設け滑り止めとすること等で、カメラ本体を大型化させることなく把持性を保っている。
【０００３】
また、小型、軽量化とはそぐわないが、カメラボディ自体にグリップ部を形成するのではなく、グリップ部が連結しているカメラが知られており、連結手段により、グリップ部がカメラに対して可動可能であった（例えば、特許文献１参照）。
【０００４】
また、カメラに対して、着脱自在に装着される拡張ユニットが知られており、この拡張ユニットには、記録媒体や、画像データの書き込み／読み出しで使用する電力を供給する電源が装着され、このユニットをカメラに装着することでカメラの電源、記録容量を補うことができる。この場合、ユーザーは、ユニットに設けられたグリップ部を把持しカメラを使用することになるが、カメラに対してグリップ部が可動することはなく、カメラボディ面から大きくはみ出しており、ユニットを装着したままでは収納に不適であった。
【０００５】
また、ユニットの基台に設けられた突起とネジとが、それぞれカメラの底面に設けられた位置決め穴に挿入、三脚取付け用のネジ穴に螺合することにより、ユニットがカメラに装着されている。この装着により、グリップ部はカメラボディと接し、支持するようになることから、グリップ部のカメラに対する安定は十分である（例えば、特許文献２参照）。
【０００６】
【特許文献１】
特開平０９−６５１９１号公報
【特許文献２】
特開２０００−３５００７３号公報
【０００７】
【発明が解決しようとする課題】
近年、カメラのコンパクト化にともないカメラ自体のグリップ把持に難を覚えるユーザーが現れてきた。このため、必要に応じて把持性を高められるようにアダプタを介してグリップ部をカメラに着脱自在に装着することが考えられている。この際に、グリップ部がカメラボディと接し、支持するようにならない場合において、従来のように、単に同一面内における突起の挿入とネジの螺合とによる装着では、グリップ部がカメラに対して十分に安定とはならない。また、カメラにあらかじめ連結し可動するグリップはあったが、外付け装着され可動するグリップはなかった。
【０００８】
そこで、本発明は、カメラに対して着脱自在であり、安定装着され、装着後の可動により収納性をも有するカメラ用グリップアダプタを提供することを目的とする。
【０００９】
【課題を解決するための手段】
上記目的を達成するために、本発明のカメラ用グリップアダプタは、三脚取付け用のネジ穴が形成された底面と、撮影時に把持される側面とを有するカメラに使用され、前記ネジ穴に螺合するネジが保持され、前記側面に形成された位置決め穴に差し込まれる突起が設けられたアダプタ本体と、前記突起の近傍にて前記アダプタ本体と連結したグリップ部とで構成され、前記側面を大きくはみ出すことなく覆う収納位置と、把持される部分が大きくはみ出した突出位置とに前記グリップ部を移動可能とする連結手段を備えている。また、前記側面の位置決め穴の上方に設けられたレリーズボタンが、収納位置にある前記グリップ部に覆われるようにしている。
【００１０】
【発明の実施の形態】
図１は、本発明を実施したカメラ用グリップアダプタ（以下、グリップアダプタと称する）と、このグリップアダプタが装着されるカメラとの外観を示している。図２は、グリップアダプタがカメラに装着される様子を示している。カメラ２の前面には撮影レンズ３を保持した鏡筒４、ストロボ発光部５、ファインダー対物窓６が設けられており、背面には図示しないファインダー接眼窓が設けられており、右側面には位置決め穴７、ストロボスイッチ８、レリーズボタン９が設けられており、底面には三脚取付け用のネジ穴１０が設けられている。
【００１１】
グリップアダプタ１２は、第一アダプタ部１３と第二アダプタ部１４とが一体に形成されたアダプタ本体１５と、第二アダプタ部１４と回転軸１６を介して連結したグリップ部１７とからなる。第一アダプタ部１３には、カメラ２の底面のネジ穴１０に螺合するネジ１８が保持されており、カメラ２の底面から左側面に至る部分を支持する支持枠１３ａが形成されている。第二アダプタ部１４には、カメラ２自体のグリップ面の一つである右側面に形成された位置決め穴７に差し込まれる突起１４ａが設けられている。また、第一アダプタ部１３と第二アダプタ部１４の境目は、カメラ２の底面から右側面に至る部分を支持する形状をしている。
【００１２】
第二アダプタ部１４の突起１４ａをカメラ２の位置決め穴７に差し込み、プラスチックにより成形されているアダプタ本体１５を動かし、カメラ２のネジ穴１０に第一アダプタ部１３のネジ１８を合わせ、第一アダプタ部１３から露呈しているネジ１８の頭部の回動操作により螺合させることにより、カメラ２にグリップアダプタ１２が装着される。このように、回転軸１６を介してグリップ部１７と連結している第二アダプタ部１４自体がカメラ２に装着されることにより、グリップ部１７はカメラ２に対して十分安定となる。
【００１３】
また、このとき、回転軸１６はカメラ２の右側面と垂直となり、グリップ部１７は、カメラ２の右側面と平行な面内で回動されることになる。また、回転軸１６はカメラ２の右側面の下端部と対峙しており、グリップ部１７の回転軸１６との軸着は、グリップ部１７の長手方向の一方の端部で行なわれており、グリップ部１７を回動によりカメラ２の下方に大きく突出させる位置（突出位置）にすることができ、また、カメラ２の右側面を大きくはみ出さないように覆う位置（収納位置）にすることもできる。
【００１４】
図３は、グリップ部が突出位置にある状態を示している。グリップ部１７の一部がカメラボディの下方に大きくはみ出し、この部分をユーザーは把持することになる。このとき、グリップ部１７は、回転軸１６のクリックストップにより適度に係止され、また、前述した通りグリップ部１７のカメラ２に対する安定も十分なので、ユーザーのグリップとしてぐらつかないようになっている。
【００１５】
図４は、グリップ部が収納位置にある状態を示している。回転軸１６にクリックストップが効いて、グリップ部１７はカメラ２の右側面を大きくはみ出さないように覆う位置で係止される。このことにより、グリップアダプタ１２はカメラ２とコンパクトに一体となり、収納性が損なわれない。このとき、レリーズボタン９は、グリップ部１７に覆われており、収納時にレリーズボタン９が誤ってＯＮすることが防がれる。
【００１６】
また、グリップアダプタ１２の装着強度を高めるためにカメラ２に施したことは、カメラ２の右側面に位置決め穴１０を形成したことだけであるので、グリップアダプタ１２非装着時において、カメラ２自体の把持性が損なわれることはない。このことにより、手の大きくないユーザーは、グリップアダプタ１２を装着せずに、カメラ２自体のグリップ把持が可能である。
【００１７】
本実施形態において、アダプタ本体１５とグリップ部１７との連結手段は、ヒンジ機構であり、グリップ部１７が回動することにより、突出位置と収納位置との切り換えを行なっているが、連結手段をスライド機構にすることにより、突出位置と収納位置との切り換えを行なってもよい。
【００１８】
また、本実施形態では、レリーズボタン９が、収納位置にあるグリップ部１７に覆われるが、レリーズボタンが覆われないようし、収納位置の場合においても、撮影を行なえるようにしてもよい。
【００１９】
【発明の効果】
以上説明したように、本発明のカメラ用グリップアダプタは、カメラの小型化により、カメラ自体の把持に難を覚えるユーザーに対して、確実な把持性の向上を見込めるだけでなく、カメラに対して非常に安定装着されるので、ぐらつきによる撮影の失敗を生じさせることもなく、収納性をも備えることで、カメラに装着したままでも気軽に携帯することができる。
【００２０】
また、収納位置にあるグリップ部に覆われる側面に電源ボタンやレリーズボタン等が設けられたカメラでは、収納時に誤って電源やレリーズボタンがＯＮするのを防ぐこともできる。
【図面の簡単な説明】
【図１】本発明を実施したカメラ用グリップアダプタと、このグリップアダプタが装着されるカメラとの外観斜視図である。
【図２】グリップアダプタがカメラに装着される様子を示す正面図である。
【図３】グリップ部が突出位置にある状態を示す外観斜視図である。
【図４】グリップ部が収納位置にある状態を示す外観斜視図である。
【符号の説明】
２　カメラ
７　位置決め穴
９　レリーズボタン
１０　ネジ穴
１２　カメラ用グリップアダプタ
１３　第一アダプタ部
１４　第二アダプタ部
１４ａ　突起
１５　アダプタ本体
１６　回転軸
１７　グリップ部
１８　ネジ
【図１】
2004101681.tif 000003
【図２】
2004101681.tif 000004
【図３】
2004101681.tif 000005
【図４】
2004101681.tif 000006